【手続補正書】
【提出日】平成18年2月9日(2006.2.9)
【手続補正１】
【補正対象書類名】明細書
【補正対象項目名】全文
【補正方法】変更
【補正の内容】
【書類名】        明細書        【発明の名称】ジャイロ及びレーザ墨出し装置      【特許請求の範囲】      【請求項１】 レーザ墨出し装置内において振子を揺動自在に吊下げるために用いるのに好適なジャイロであり、長尺軸と短尺軸と大径リング形状のジャイロブラケットと振子を装着する小径リング形状の吊下げ用ブラケットとで構成され、前記長尺軸の両端部が前記ジャイロブラケットの内側面の対向する２箇所に円滑回転自在に枢着され、前記短尺軸の中央部が長尺軸の中央に形成されている開孔部内に挿入されて円滑回転自在に枢着され、長尺軸の軸心と短尺軸の軸心の交点に吊下げ用ブラケットとジャイロブラケットの開口部の中心が位置するように組み付けられていることを特徴とするジャイロ。      【請求項２】円筒又は円柱形状の振子の揺動による鉛直姿勢回復力を利用してレーザモジュールの照射方向の基準となる鉛直姿勢が得られるように構成したレーザ墨出し装置内の振子の支持に、請求項１に記載のジャイロが用いられていることを特徴とするレーザ墨出し装置。      【請求項３】前記振子の下部近傍箇所に円板形状のブレーキ板が装着され、該ブレーキ板の上方と下方の近傍箇所にドーナツ形状のネオジ磁石が設けられて、ネオジ磁石がブレーキ板に磁気トルクを与えることにより振子の揺動を早期に収束させ、振子が鉛直姿勢で停止するように構成されている請求項２に記載のレーザ墨出し装置。      【請求項４】前記振子の傾き角が所定の傾斜許容限界角となる位置に、振子又はブレーキ板による接触によって電気信号が入力する傾斜検知手段を設けて、振子の傾きが傾斜許容限界角に達すると、該傾斜検知手段による検知信号に基づいて、前記レーザモジュールから出力されるレーザ光を点滅させ、又は機器本体に備えた表示部で表示させ、或いはこれら双方による表示が行われるように構成されている請求項２又は３に記載のレーザ墨出し装置。      【請求項５】レーザ墨出し装置の主要部を搭載した回転台が摩擦板を挟んで基台上に回転自在に備えられ、前記回転台の水平回転が、リモコン端末器の操作によりモータを駆動させて該モータの駆動軸先端部に設けられているプーリの接触により、前記摩擦板を連れ回りさせて行う自動回転と、摩擦板の摩擦力を超える力により摩擦板を滑らせて行う手動回転とが選択可能に構成されている請求項２乃至４のいずれか１項に記載のレーザ墨出し装置。    【請求項６】前記リモコン端末器による前記モータの駆動制御が、マイクロ波を含む電波、又は赤外線信号を含む光信号で行われるように構成されている請求項２乃至５のいずれか１項に記載のレーザ墨出し装置。    【請求項７】前記リモコン端末器に、所望の回転角を設定するテンキー又はダイヤルが設けられている請求項５又は６のいずれか１項に記載のレーザ墨出し装置。      【発明の詳細な説明】        【技術分野】        【０００１】  本発明は、レーザ墨出し器内の振子を揺動自在に吊下げて鉛直姿勢を確保するのに好適なジャイロと該ジャイロを搭載したレーザ墨出し装置に関する。        【０００２】        【背景技術】 レーザ墨出し装置から出力されるレーザ光による墨出し線は、水平の墨出し線を出力させるもの、垂直の墨出し線を出力させるもの、水平と垂直の墨出し線を出力させるものなど、各種の機種が知られている。そして、墨出し線の水平姿勢や垂直姿勢を確保する方に、レーザモジュールを支持させた振子（鏡筒）をジャイロで揺動自在に吊下げて、振子の自重による鉛直姿勢回復力を利用して行う方法が知られている。        【０００３】レーザ墨出し装置に搭載されている従来技術のジャイロとして、図２１に示すジャイロ７０がある。このジャイロ７０は、径の異なる複数のリングのうちの内側のリング７０ａとその外側に位置する中間リング７０ｂとを横軸７１ａで枢着し、またこのリング７０ｂとその外側のリング７０ｃとを前記横軸７１ｂと横方向に直交する横軸７１ｂで枢着し、この外側のリング７０ｃが上下回転自在に組み付けられて、内側のリング７１ａが外側のリング７０ｃに対して何れの方向にも揺動する構造を備える（従来例１）。        【０００４】  ところで、振子（鏡筒）の鉛直姿勢はその揺動が静まることにより得られるものであるが、この揺動がゆっくり静まるのを待っていたのでは作業能率が悪くなる。このため、従来では、図２２に示すように、振子（鏡筒）８０の下部近傍箇所に銅製の円板８１を装着し、この円板８１の上下方向の適所に図２３に示す複数個の永久磁石８３，８５を配設して、この永久磁石８３，８５間に発生する磁気トルクにより円板８１の揺動にブレーキをかけて、振子（鏡筒）８０の自重による鉛直姿勢回復とその位置での停止を促し、この鉛直方向を基準としたレーザ光の照射方向が確保できるようにしていた（従来例２）。        【０００５】  尚、レーザ墨出し装置を置いた床面が傾斜していたり、床面に凹凸があって振子（鏡筒）が所定角度（一般に５゜とされる）以上傾くとその下端部が周囲のガイドに当たって停止する。このように振子（鏡筒）が傾いた姿勢の状態でレーザモジュールから出力される墨出し線は、鉛直線を基準にしていないために、墨出し線として利用できないので、このような場合、従来では、職人が墨出し線を見て鉛直姿勢を基準にした墨出し線であるか否かを判断していた。（従来例３）。        【０００６】 そして、従来のレーザ墨出し装置では、手動で水平回転する機能を備えたものについては、レーザ光の向きを横回転方向に変える場合、レーザ墨出し装置を手で回して行ったり、手で持ち上げてその向きを変えていた（従来例４）。        【０００７】        【発明が解決しようとする課題】  しかしながら、上述した（従来例１）によるジャイロは、最も内側のリングの高さがあまり無くしかも座面が狭くなっているために、ここに振子（鏡筒）やレーザモジュールを支持する支持体を装着しても、その安定性と中心位置の確保が十分に確保できず、またこのリングと振子（鏡筒）の中心の位置合わせの調整が難しいことが原因で、振子の自重による吊り下げのバランスが狂って鉛直姿勢の確保が図れず、レーザ光の向きに狂いが生じて、正確な墨出しが行えないといった事態を招き易くしていた。        【０００８】  また、上述した（従来例２）ように、複数個の永久磁石を点在させて振子（鏡筒）に装着されている円板に磁気トルクを与えて振子（鏡筒）の揺動にブレーキを与える構造では、振子（鏡筒）及び円板の揺動する方向が常に一定しているわけではないので、円板が���動する方向によっては円板に加わる磁気トルクに強弱が生じて、揺動の方向や大きさによって円板にブレーキをかける状態が異なって、振子（鏡筒）の揺動にブレーキがききにくい場合があった。        【０００９】  また、上述した（従来例３）を具備したレーザ墨出し装置では、レーザ光の揺動が停止しているだけで墨出し線の鉛直姿勢が確保されていると誤判断されやすく、作業の信頼性を大きく損なう場合がある。        【００１０】  また、上述した（従来例４）を具備したレーザ墨出し器は、例えば職人が脚立の上に登った位置で天井面の墨出し作業を行うときに、墨出し線の向きを変えるときに、一旦脚立から下りてレーザ墨出し装置の置かれている所まで行ってこれを手で回転操作しなければならないという煩わしさがあった。        【００１１】  本発明は、これらの課題を解消するために、鉛直線を基準にした正確な方向にレーザ光による墨出し線を照射させ、振子（鏡筒）の揺動を瞬時にしかも安定した状態で鉛直姿勢で停止させることがジャイロ、及びこのジャイロを搭載するとともに、振子（鏡筒）が鉛直でない姿勢のまま墨出し線が照射されても、これを判り易く作業者に知らしめ、しかも墨出し線を照射する水平回転方向の向きの変更が手動及び遠隔操作などで行えるようにしたレーザ墨出し装置を提供することにある。      【課題を解決するための手段】        【００１２】  本発明の請求項１の発明は、レーザ墨出し装置内において振子を揺動自在に吊下げるために用いるのに好適なジャイロの発明であり、当該ジャイロは、長尺軸と短尺軸と大径リング形状のジャイロブラケットと振子を装着する小径リング形状の吊下げ用ブラケットとで構成され、前記長尺軸の両端部が前記ジャイロブラケットの内側面の対向する２箇所に円滑回転自在に枢着され、前記短尺軸の中央部が長尺軸の中央に形成されている開孔部内に挿入されて円滑回転自在に枢着され、長尺軸の軸心と短尺軸の軸心の交点に吊下げ用ブラケットとジャイロブラケットの開口部の中心が位置するように組み付けられている。        【００１３】  本発明のジャイロは、大径リング形状のジャイロブラケットの内側に長尺軸の両端部が枢着されて、長尺軸が円滑に軸回転自在となっており、長尺軸の中央部に短尺軸の中央部が円滑に軸回転自在となっている。短尺軸の両端部はジャイロブラケットの開口部の内壁に届いておらず、開放端となっている。そして、吊下げ用ブラケットが短尺軸の両端近傍個所に支持されている。吊下げ用ブラケットには、例えば、レーザ墨出し装置に用いられる振子（鏡筒）の上端面が装着される。        【００１４】請求項２の発明は、レーザ墨出し装置の発明であり、円筒又は円柱形状の振子の揺動による鉛直姿勢回復力を利用してレーザモジュールの照射方向の基準となる鉛直姿勢が得られるように構成したレーザ墨出し装置内の振子の支持に、請求項１に記載のジャイロが用いられていることを特徴とする。        【００１５】 レーザ墨出し装置の分野において、鏡筒は、ジャイロで吊るされて揺動し、筒内に配設したレーザモジュールからスポット形状のレーザ光を通過させて床面にレーザ光による鉛直点を示すことができる構造の振子を呼ぶ場合が多いが、本構成では、振子はこのような構造の鏡筒だけでなく、ジャイロで吊るされて鉛直姿勢を回復する径の太い金属棒や金属筒だけのようなものも含まれる。 このような構造のジャイロをレーザ墨出し装置のジャイロに用い、ジャイロ内の長尺軸と短尺軸からなる２本の回転軸の軸心の交点上に振子（鏡筒）の鉛直線が位置するように振子（鏡筒）の上端をジャイロの吊下げ用ブラケットの下面に装着して、振子（鏡筒）をジャイロから吊下げるようにすると、振子（鏡筒）はいずれの方向にもバランス良く揺動して、振子（鏡筒）の自重により得られる鉛直線を基準にした静止ができるようになり、この結果、鉛直線を基準にした正確な方向に墨出し線を照射させることができるようになる。即ち、墨出し精度の高いレーザ墨出し装置にすることができるようになる。        【００１６】 請求項３の発明によるレーザ墨出し装置は、上記構成を具備し、更に、前記振子の下部近傍箇所に円板形状のブレーキ板が装着され、該ブレーキ板の上方と下方の近傍箇所にドーナツ形状のネオジ磁石が設けられて、ネオジ磁石がブレーキ板に磁気トルクを与えることにより振子の揺動を早期に収束させ、振子が鉛直姿勢で停止するように構成されている。        【００１７】  このように構成すると、振子（鏡筒）がどの方向に揺動しても、円板に加わる磁気トルクが同じ状態で付与されるので、安定した揺動停止力が得られ、振子（鏡筒）何れの向きに振れても正確な鉛直姿勢で停止する。特に、磁力の高いネオジ磁石を使用すると、揺動にブレーキをかける力が強くなって揺動から静止までの時間が早くなり、振子（鏡筒）を瞬時に停止させることができるようになるため、作業性が高まる。        【００１８】  請求項３の発明によるレーザ墨出し装置は、上記いずれかの構成を具備し、更に、前記振子の傾き角が所定の傾斜許容限界角となる位置に、振子又はブレーキ板による接触によって電気信号が入力する傾斜検知手段を設けて、振子の傾きが傾斜許容限界角に達すると、該傾斜検知手段による検知信号に基づいて、前記レーザモジュールから出力されるレーザ光を点滅させ、又は機器本体に備えた表示部で表示させ、或いはこれら双方による表示が行われるように構成されている。        【００１９】  このように構成すると、例えば本装置が床面に傾いた状態で置かれていたり、床面が傾いていたりして、鏡筒が揺動しないまま傾いた状態で停止して、そのままレーザモジュールより天井面等にレーザ光が照射されても、このレーザ光が点滅したり機器本体に備えた表示部で表示したりすることによって、このレーザ光が鉛直点を基準にした照射方向でないことを判り易く目視で判断できる。        【００２０】  具体的には、例えば、円板が接触して電気信号が入力する場合でいうと、円板を導電材料で形成すると共に、この円板の周縁から所定間隔を設けた周外方向となる位置に、この円板の周縁が接当する鉄又は銅等の材料で形成した揺制止板の立設周面を位置させ、さらに鏡筒を通じて円板にマイナスアースに接続し、導電板をプラス電極に接続して、それぞれの電気線をレーザ光を点滅させる点滅回路に接続する方法などが挙げられる。        【００２１】  尚、導電板の立設周面に交互に極性の異なる電極を小刻みに配設し、この異なる２つの電極に円板が接触することによって電気信号が入力するような検知手段を備えたものであっても構わない。        【００２２】 請求項４の発明によるレーザ墨出し装置は、上記いずれかの構成を具備し、更に、レーザ墨出し装置の主要部を搭載した回転台が摩擦板を挟んで基台上に回転自在に備えられ、前記回転台の水平回転が、リモコン端末器の操作によりモータを駆動させて該モータの駆動軸先端部に設けられているプーリの接触により、前記摩擦板を連れ回りさせて行う自動回転と、摩擦板の摩擦力を超える力により摩擦板を滑らせて行う手動回転とが選択可能に構成されている。        【００２３】 レーザ光を水平方向に回転させる必要性としては、例えば壁面に照射したレーザ光を横移動させて墨出しを必要とする位置に合わせたり、天井面に照射したレーザ光の向きを所望の向きに回転させるときなどが挙げられる。従来、この向きの変更は本装置の向きを置き変えて行っていたが、これを本構成を採用することによって、レーザ墨出し装置の位置を動かすことなく水平方向（横方向）に回転させることができるようにしたのである。        【００２４】  そしてその回転をモーターと手動の２通りの方法で行えるようにしたのである。自動で行える利点は本装置の地墨点をずらすことなく正確に回転させることができることと、後述において説明するように遠隔制御できることにある。手動で行える利点は職人が本装置の近くに居るときには敢えて遠隔操作するまでもなく簡単に手で回すことができることにある。        【００２５】  尚、このように手で本装置を回すと、モーターの駆動軸に過度の負担が加わることが予想されるが、本構成ではこのような場合には、駆動軸が連れ回りする前に回転台が基台に対して滑って空周りするため、モーターに過度の負担が加わったりしない。しかもこの空回りは単なる空転ではなくモーターに過度の負担を与えない程度の摩擦力が加わっているため、意図しない振動などにより空回りするようなことはない。尚、本構成では低速回転のモーターを用いたり、減速装置を備えたりして、本装置をゆっくりと回転させる必要がある。        【００２６】  モーターの駆動を伝える方法としては、基台側に備えられている摩擦板の壁面に、モーターの駆動軸の先端部に装着したプーリーを常時接触させて行う方法、基台側に備えられている摩擦板の外周面と、モーターの駆動軸の先端部に装着したプーリーとの間にタイミングベルト等を掛けて行うベルトドライブ方式、基台側に備えられているギヤ円板のギヤ面に、モーターの駆動軸の先端部に装着したギヤを噛合させてダイレクトドライブで行う方法等が挙げられ、本構成ではこれら何れも適用の対象となる。        【００２７】  また、このモーターをステッピングモーターやトルクモーターあるいはブレーキモーターを用いて、正確な位置でモーターの回転を止めるようにしても構わない。        【００２８】  このようにリモコン端末器を利用して遠隔制御すると、職人が本装置から離れた所に居てもその場所を離れることなく本装置の向きを変えることができる。        【００２９】 リモコン端末器によるモータ制御を、マイクロ波を含む電波を発信する構造にすると、太陽光やレーザ光等の光の干渉による影響を受けない利点があるので���この構造が最も優れると考えられるが、赤外線信号を含む光信号を発信して行う構造でも対応できることから敢えてこれも記載した。        【００３０】 リモコン端末器によるモータ制御が、赤外線信号を含む光信号を発信して行う構造であれば、前記アンテナに代えて赤外線等の発光器がリモコン端末器に備えられ、電波受信アンテナに代えて受光器がレーザ墨出し装置側に備えられる。        【００３１】 請求項５の発明によるレーザ墨出し装置は、更に、このリモコン端末器に、所望の回転角を設定するテンキー又はダイヤルが設けられている。        【００３２】 テンキーは、例えば４５の数値を入力すると本機が４５゜回転するぶんだけモーターを回転させるもので、右又は左回転を選択するキーと併用して使用する。ダイヤルの場合はその周りに回転方向に対応した角度設定目盛りが印されている。このようにテンキー又はダイヤルを利用すると、レーザ墨出し装置は入力した数値に対応した正確な角度で回転する。つまり回転制度が向上する。      【発明の実施の形態】        【００３３】  本発明の目的及び構成は以上の通りであり、次に添付図面に基づいて本発明に係るレーザー墨出し装置の具体的な実施例について詳述する。尚、各添付図面の各図において共通する箇所には同一符号を付してある。        【００３４】  図1は本実施例に係るレーザ墨出し装置の内部をケースから取り出して示した斜視図、図2は同じく正面図である。        【００３５】 図1及び図2に示す本実施例のレーザ墨出し装置１は、平面視、中央に開口を形成した円板形状を有し周縁を上方に立ち上げて形成した回転台５上に複数本の柱４，４を立設させてあり、この柱４，４の上部には、この回転台５と略同形状を有する上部支持台３が、その周縁を下方に向けて装着されている。        【００３６】  前記回転台５は、その中央が開設された開口を通じて、ベアリング２４を介して、上端にフランジ面２２ａが形成され下部周面に螺子が刻設された筒状の装着部材２２を基台２６に装着することによって、回転自在に基台２６上に備えられており、しかもこのベアリング２４と基台２６との間には、周縁２３ａを上方に立ち上げた摩擦板２３と、摺接部材２５が、それぞれ挟んだ状態で備えられている。        【００３７】  この摩擦板２３の外周縁面２３ａの側方には、前記回転台５に装着したモーター２７の駆動軸２７ａが突出して位置しており、この駆動軸２７ａ端に装着したプーリー２８を前記外周縁面２３ａに接触させて、モーター２７の駆動によりプーリー２８がこの外周縁面２３ａに沿って走行することによって、回転台５が横方向に回転するように構成してある。        【００３８】  この回転台５上方には、前記柱４に装着された状態で制御回路基板３０が備えられており、モーター２７はこの制御回路基板３０に接続されている。尚、図1に示すように回転台５上方には電池ケース７０が備えられており、本装置のあらゆる電気・電子部品はこの電池ケース７０に内装された電池を電源とする。        【００３９】  前述した上部支持台３の中央の開口周りの上面には、ジャイロ２が装着されている。そしてこのジャイロ２の上面にはレーザモジュール取付台７を介してレーザモジュール８，８・・が装着されており、��のジャイロ２の下部には鏡筒６の上端部が装着されている。        【００４０】  尚、図1及び図２では、４個のレーザモジュール８，８・・がレーザ光を四方斜め上方に照射する向きで備えられており、これら４個のレーザモジュール８，８・・によって照射されるレーザ光の映像は十字形状である。勿論、レーザモジュール８，８の取付個数はレーザモジュール取付台７と共に別途交換することにより、変更可能である。        【００４１】  図３及び図４はレーザモジュール取付台７を示した平面図及び正面図であり、図1乃至図４に示すように、レーザモジュール取付台７の座面７ａから四方斜め上方に拡がる方向に突出した取付端７ｂ，７ｂ・・にそれぞれ計４個のレーザモジュール８，８・・が装着されている。７ｃはこのレーザモジュール取付台７をジャイロ２の上面に装着する螺子を挿通する孔、７ｄは開口である。        【００４２】  図1及び図２では、レーザモジュール８，８・・の後端に接続されている各２本の電気線のうちのプラス側の各１本の電気線８ａ，８ａ・・は、重量バランスを考慮した状態で上部支持台３に接続されており、マイナスアースの各電気線８ｂ，８ｂ・・は導電材料で形成されているレーザモジュール取付台７に接続されている。        【００４３】  この電気線の接続における他の実施例が図５及び図６で示されており、これら各図において、上部支持台３の上面には導電性材料で形成された門形の柱９０が絶縁材料９１を介して装着されており、この門形の柱９０の略中央箇所には、レーザモジュール８，８・・の後端に接続されている各２本の電気線のうちのプラス側の各１本の電気線８ａ，８ａ・・が、重量バランスを考慮した状態でジャイロ２中心方向に向けて接続されている。尚、この柱９０から別途電気線が制御回路基板３０に接続されている。これに対し、レーザモジュール８，８・・の後端に接続されているマイナスアースの各電気線８ｂ，８ｂ・・は導電材料で形成されているレーザモジュール取付台７に接続されている。        【００４４】  図７から図１５まではジャイロ２を示しており、このうち図７はジャイロ２を一部切り欠いて示した平面図、図８はジャイロの正面図、図９は同じく分解斜視図、図１０は支持体の分割面を断面線として示したジャイロの平面断面図、図１１はジャイロの内部構造を示したスケルトン図、図１２はジャイロの正面断面図、図１３は同じく側面断面図、図１４及び図１５は２軸の交差部分の構造を示した正面図、及び平面断面図である。        【００４５】  これら各図に示すように、ジャイロ２は、長尺軸５３及び短尺軸５４と、これら２本の軸５３，５４の交差部分に用いられるベアリング軸受け５５，５６と、平面視大径のドーナツ形状を有するジャイロブラケット５０、と、平面視小径のドーナツ形状を有する吊下げ用ブラケット５１と、平面視ドーナツ形状を有する肉厚の取付座５２と、長尺である第１軸５３の再端部を支持してこの取付座５２に取り付けるためのベアリング軸受け６５，６５、とが組み付けられて成る。        【００４６】  図９から図１５において、長尺軸５３の中央箇所は幅広く形成されており、この箇所に開設されている開口内に、短尺軸５４の中央部分が位置するように挿通された状態で、���尺軸５４の中央部分を再側から挟むように嵌装したベアリング軸受け５５，５６を該開口内に装着して、長尺軸５３の中央箇所に短尺軸５４の中央部分が横方向に直交する状態で回転自在に枢着されている。６１，６１は埋め込み螺子により長尺軸５３の中央箇所の対応面に装着したベアリング軸受け５５，５６の抜止防止部材であり、この抜止防止部材６１，６１があることによって、短尺軸５４は横抜けしない。        【００４７】  図９において、ジャイロブラケット５０は、肉厚の筒部５０ｄの上端部が大径の座５０ａで形成されて成るもので、その下端縁の対向箇所には、長尺軸５３の径よりも大きな半曲面部５０ｅ，５０ｅが形成されており、この半曲面部５０ｅ，５０ｅに対して９０゜対向する前記下端縁には、短尺軸５４の径に略等しい半曲面部５０ｆ，５０ｆが形成されている。        【００４８】  上部の大径の座５０ａには、レーザモジュール取付台７を取り付けるためのネジ孔５０ｈ，５０ｈ・・が形成されており、また、大径の座５０ａから筒部５０ｄの側壁を通じて下端部まで至る複数の箇所には、ジャイロブラケット５０を下部の支持体５１に連結して装着するための皿頭のボルト５９，５９の挿通穴５０ｊ，５０ｊがそれぞれ複数開設されている。        【００４９】  図９及び図１０において、吊下げ用ブラケット５１は、ジャイロブラケット５０の筒部５０ｄと同径，同肉厚の筒部であり、この支持体５１の上縁には、前記半曲面部５０ｅ，５０ｅと対向する同じ大きさの半曲面部５１ｅ，５１ｅと、前記半曲面部５０ｆ，５０ｆと対向する同じ大きさの半曲面部５１ｆ，５１ｆが形成されている他、前記ボルト５９，５９を螺装するネジ孔５１ｊ，５１ｊ・・が形成されている。        【００５０】  また、、吊下げ用ブラケット５１における開口５１ｂの下部には、後述する鏡筒（６）の上端部が挿通されるため、この支持体５１の対向する２側面部分に、鏡筒（６）の上端部を装着するピン孔５１ｇ，５１ｇが開設されている。        【００５１】  また、図８、図９において、ジャイロブラケット５０及び吊下げ用ブラケット５１の各対向縁面には、ジャイロブラケット５０及び吊下げ用ブラケット５１を位置ずれなく装着するための段部５０ｋ，５１ｋが形成されている。        【００５２】  図７から図９及び図１２、図１３において、取付座５２は、ジャイロブラケット５０及び吊下げ用ブラケット５１の筒部よりも大径の内径を有する肉厚の平面視ドーナツ形状を有しており、その対向する側壁面の上面部分には、前記ベアリング軸受け６５，６５の一部周面に沿った半曲面部５２ｃ，５２ｃが形成されている。尚、符号を付していないが、この半曲面部５２ｃ，５２ｃを挟む取付座５２の上面部分にはベアリング軸受け６５，６５の押止部材を装着するボルト５８，５８・・の螺子孔と、該取付座５２を第１図及び第２図で示した上部支持台３に装着するためのボルトの螺子孔等がそれぞれ開設されている。        【００５３】 ジャイロ２の組み付けは、先ず、長尺軸５３と短尺軸５４とを組み付ける。続いてこの組み付けた長尺軸５３と短尺軸５４を平面視十字状になる向きで、ジャイロブラケット５０及び吊下げ用ブラケット５１を合わせて、短尺軸５４の両端部をジャイロブ���ケット５０及び吊下げ用ブラケット５１の半曲面部５０ｆ，５１ｆ，（５０ｆ，５１ｆ）内に嵌まるようにして、上下の支持体５０，５１を、皿頭を持つボルト５９，５９で装着して一体化させる。        【００５４】  このとき長尺軸５３の両端部は、ジャイロブラケット５０及び吊下げ用ブラケット５１の半曲面部５０ｅ，５１ｅ，（５０ｅ，５１ｅ）が合わさって形成された開口から突出している。この突出した長尺軸５３の両端部にベアリング軸受６５，６５を嵌装する一方、吊下げ用ブラケット５１周りに取付座５２を位置させ、この取付座５２内の半曲面部５２ｃ，５２ｃ内にベアリング軸受６５，６５を位置させ、その上から押止部材５７，５７を被せるようにしてあてがって押止部材５７，５７を取付座５２上にボルト５８，５８で装着し、またベアリング軸受６５，６５の端部を押止部材６４，６４であてがうようにして、押止部材６４，６４を取付座５２の側壁面にボルト６５，６５で装着すれば、ジャイロ２の組み付けは完了する。        【００５５】このようにして組み付けると、長尺軸５３の軸心と短尺軸５４の軸心の交点に、支持体５０，５１の上下方向の中心すなわち振子である鏡筒（６）の鉛直線が通過する。        【００５６】  尚、図示していないが、前記座５０ａの周側面又はその近傍箇所には、重力バランスを調整する螺子の装着孔が形成されている。        【００５７】  次に本装置１のジャイロ５より下方の箇所について説明する。図１及び図２に示すように、ジャイロ５の下端部には円筒形状を有する銅製の鏡筒６の上部が装着されて、鏡筒６が揺動自在に吊り下げられている。この鏡筒６の下部近傍箇所には、中央に大きな開孔を有する銅製の円板９が、鏡筒６の周方向に拡がる状態で水平に装着されている。        【００５８】  図２及び図１６に示すように、この円板９の上方には、平面視ドーナツ形状を有する鉄製の支持板１０が鏡筒６を中央に挿通する状態で複数の取付部材２０を介して４に装着されており、この支持板１０の下面には、絶縁体１２を挟んで、平面視円板形状を有しその周縁を下方に僅かながら立ち上げて形成した鉄等又はステンレスにニッケルメッキを施した揺動制止板１３が装着されており、さらにその下面には、絶縁体１４を挟んで、平面視ドーナツ形状のステンレス板１５が装着されており、これらの装着はビスにより一体的により行われている。そしてこのステンレス板１５の内周縁から前記支持板１０に至る箇所には、図１７に示す平面視ドーナツ形状を有する肉厚のネオジ磁石１１が装着されている。        【００５９】  また、図１６において、この円板９の下方には、ドーナツ形状のステンレス板１８が絶縁体１７を挟んだ状態でドーナツ形状を有する鉄製の支持板１０上に装着されており、この支持板１０は複数の取付部材２１を介してその下方の回転板５の上面に装着されており、このステンレス板１８の内周縁から前記支持板１６に至る箇所には図１７に示すように平面視ドーナツ形状を有する肉厚のネオジ磁石１９が、その上方の前記ネオジ磁石１１に対して極性の向きを異にした状態で装着されている。        【００６０】  このようにして円板９の僅かながら隙間を設けた上下箇所にドーナツ形状のネオジ磁石１１，１９が装着��れていると、双方のネオジ磁石１１，１９間の空間には円板１８の揺動を停止させる極めて強い磁気トルクが発生しているのであるが、このように対向するネオジ磁石１１，１９をドーナツ形状にしたことによって、円板９がどのような方向に揺動しても、円板９には常に一定の強い磁気トルクが付与される。このため、円板９すなわち鏡筒６の揺動は瞬時に停止し、鉛直姿勢で停止し、この状態が維持される。        【００６１】  また、図１６において、上述したように円板９の外周縁から等間隔をおいた箇所には鉄等の導電材料からなる揺動制止板１３の立設面が位置している。この円板９には銅製の鏡筒６から電気線を通じて図１及び図２に示す御回路基板３０の点滅回路に接続されており、揺動制止板１３も電気線３２を通じて図１及び図２に示す制御回路基板３０の点滅回路に接続されている。つまり、円板９と揺動制止板１３による傾斜検知手段がここに備えられているのである。        【００６２】  このため、図１６及び図１８に示すように、鏡筒６が大きく傾いて円板９の周縁が揺動制止板１３に接触すると、電気が通じて、制御回路基板３０の点滅回路が作動してレーザモジュール（８，８・・）を点滅させる。尚、このときの点滅回数は、職人が見落とすことのないように数回以上、例えば５回点滅するのが好ましい。        【００６３】  上述したように円板９には銅製の鏡筒６から電気線を通じて図１及び図２に示す制御回路基板３０の点滅回路に接続されているが、揺動する鏡筒６から如何様にして制御回路基板３０まで電気線を接続するかについては、図１９に示しており、ジャイロ２の一部を構成するジャイロブラケット５０及び吊下げ用ブラケット５１の側壁に、上下方向に貫通する開孔５０ｖ，５１ｖを開設し、鏡筒６の上端部にこの開孔５０ｖ，５１ｖ内に通した電気線８ｃの一端を接続し、ジャイロ２上方に出ているこの電気線８ｃの他端をレーザモジュール取付台７にマイナスアース接続させてある。        【００６４】  さて、図２に戻るが、前記モーター２７の駆動制御は、制御回路基板３０の駆動制御回路を通じて行われる。  この駆動制御回路への命令信号は、図２０に示すリモコン端末器１００から赤外線信号を発振させた光信号を、本装置１の外面に装着した図示しない赤外線受光器で受信し、この受信した光信号を変換した電気信号が制御回路基板３０の駆動制御回路に送られ、この駆動制御回路を通じて前記モーター２７を回転させることにより本装置１の基台２６より上部分を横方向に回転させて、レーザ光の向きを所望の角度に横回転させることができるように構成してある。        【００６５】  このため、リモコン端末器１００には、レーザ光を左右何れかの横方向に連続的に回転させるキー１０１，１０２と、回転角をデジタル設定するテンキー１０３と、テンキー１０３の回転方向を切り換える切換キー１０４と、電源キー１０５が備えられており、この端末器１００の前端面にはマイクロ波を発信するアンテナ１０６が突出している。        【００６６】  このようにテンキー１０３でレーザ光の回転角をデジタル設定してもモーター２７の駆動、特に駆動停止のタイミングが一定していないと正確な回転角が得られ難いので、ロータリーエンコーダを備えるのが好ましい。        【００６７】  ところで、図２に示すように、本装置１の上部分、すなわち摩擦板２３より上の部分は、手で回してその向きを変えることもできるようにしてある。このため、摩擦板２３の下面と基台２６の間に摺接板２５を接した状態で位置させ、本装置１の上の部分を手で回すと、モーター２７の駆動軸２７ａが連れ回りする前に、摩擦板２３と摺接板２５とが滑って、回転板５が基台２６に対して空周りして、モーター２７に過度の負担がかかったりしないようにしてある。この摩擦力は、モーター２７を駆動させてプーリー２８を回転させて摩擦板２３面を走行したときには、摩擦板２３と摺接板２５は滑らない程度、つまりこの摩擦力は外力によりモーターにかかる負担よりも小さくしてある。      【発明の効果】        【００６８】 本発明に係るジャイロによれば、軸回転する２本の回転軸が平面視十字状に組み付けられている結果、いずれの方向にもバランス良く揺動するジャイロにすることができるようになった。        【００６９】そして、レーザ墨出し装置にこのジャイロを搭載した結果、振子（鏡筒）はいずれの方向にもバランス良く揺動することができ、振子（鏡筒）の自重により鉛直線を基準にした正確な位置で静止できるようになった。よって、正確な照射方向のレーザー光による墨出し線を形成することが出来たのである。        【００７０】  また、鏡筒の揺動停止構造として、鏡筒の下部又はその近傍箇所に鏡筒の周側方に拡がる銅製の円板を装着し、この円板から僅かながら隙間を設けた上方と下方に、平面視ドーナツ形状のネオジ磁石を備えることによって、双方のネオジ磁石間の空間内で揺動する円板に強い磁気トルクを与えて、円板すなわち鏡筒の揺動にブレーキを掛けて鉛直姿勢で停止させることが出来たのである。このため、揺動している鏡筒は、瞬時に鉛直位置で停止することが出来たのである。このため、作業効率を向上させることが出来たのである。        【００７１】  また、円板の傾斜許容限界角となる位置に、円板の周縁が接触することによって電気信号が入力する傾斜検知手段を備え、該傾斜検知手段による傾斜検知信号を、機器本体に備えた表示部で表示し又はレーザモジュールから照射するレーザ光を点滅し或いはこの表示と点滅の双方を行うように構成したことによって、レーザ墨出し装置を置いた床面が傾いていたりなどして、鏡筒が傾いた姿勢で停止しても、これらの表示によって鏡筒が鉛直姿勢でないことが判るため、誤判断による誤った墨出し線を基準にした作業を行うようなことも無くなったのである。        【００７２】  さらに、本装置を内部に備えたモーターの駆動によって横方向に回転自在に構成し、しかもこのモーターの駆動制御をリモコンにより遠隔操作できるように構成したことによって、職人がレーザ墨出し装置から離れた位置に居ても、その場からリモコン操作することによって簡単にレーザ光を所望の横方向の回転位置に変化させることが出来、またこの横方向への回転を、モーターに過度な負担を与えることなく、本装置を手で回して行うこともできるようにしたことによって、レーザ墨出し装置による墨出し作業の能率を飛躍的に高くすることができたのである。      【図面の簡単な説明】        【００７３】    【図１】本発明の第１実施例に係るレーザ墨出し装置の内部をケースから取り出して示した斜視図である。    【図２】同じく正面断面図である。  【図３】レーザモジュール取付台を示した平面図である。    【図４】同じく正面図である。    【図５】レーザ墨出し装置の内部の上部分を示した斜視図である。    【図６】同じく正面図である。    【図７】ジャイロを一部切り欠いて示した平面図である。    【図８】ジャイロの正面図である。    【図９】同じく分解斜視図である。    【図１０】ジャイロの分割面を断面線として示した平面断面図である。    【図１１】ジャイロの内部構造を示したスケルトン図である。    【図１２】ジャイロの正面断面図である。    【図１３】同じく側面断面図である。    【図１４】ジャイロの一部を構成する２軸の交差部分の構造を示した正面図である。    【図１５】同じく平面断面図である。    【図１６】円板周りの部分を拡大して示した正面断面図である。    【図１７】ドーナツ状の磁石を示した斜視図である。    【図１８】回動規制板と鏡筒に装着した円板を下面から見た図である。    【図１９】鏡筒からジャイロ内を通じる電気線の配設構造を示した断面図である。    【図２０】リモコン端末器の正面図である。    【図２１】従来構造のジャイロを示した斜視図である。    【図２２】従来構造の揺動制止構造を示した正面断面図である。    【図２３】同じく磁石の形状と配設位置を示した斜視図である。     【符号の説明】【００７４】１レーザ墨出し装置２ ジャイロ３ 上部支持台５ 回転台６ 鏡筒８ レーザモジュール９ 円板１１ 磁石１３ 揺動制止板１９ 磁石２３ 摩擦板２６ 基台２７ モーター２８ プーリー５０  ジャイロブラケット５１  吊下げ用ブラケット５３ 長尺軸５４ 短尺軸１００ リモコン端末器